(57)【特許請求の範囲】
【請求項１】
複数の素線が螺旋状に撚り合わせられた電線の外側に設けられる本体部と、
前記本体部の前記電線の軸方向の少なくとも一方の端部に設けられ、前記電線上の雪を落とす除雪歯と、
前記本体部に設けられるモータ部と、
前記モータ部に設けられ、前記モータ部が駆動することによって回転する歯車と、
前記本体部内で前記歯車と噛合し、内部に前記電線が挿通する挿通孔が設けられ、前記電線を囲むように回転可能に設けられるガイドローラ部と、
を有し、
前記ガイドローラ部の前記挿通孔は、前記複数の素線が撚り合わせられることによって形成された撚り溝に螺合するように設けられる
電線用除雪装置。
【請求項２】
前記ガイドローラ部は、前記モータ部が駆動し前記歯車が回転することによって、前記挿通孔内の傾斜面を前記複数の素線の外周面に当接させながら回転する
請求項１に記載の電線用除雪装置。
【請求項３】
前記除雪歯は、前記本体部とともに前記電線の周方向に回転しながら前記電線の軸方向に進行する
請求項１または２に記載の電線用除雪装置。
【請求項４】
前記除雪歯は、前記電線の軸方向に対して傾斜して設けられ当該除雪歯の回転に沿うように渦巻状に設けられる側面を有する
請求項１〜３のいずれか１項に記載の電線用除雪装置。
【請求項５】
前記本体部に設けられ、前記モータ部の駆動および停止を制御する制御部を有する
請求項１〜４のいずれか１項に記載の電線用除雪装置。
【請求項６】
前記本体部に設けられ、外部からの信号を受信する受信部を有し、
前記制御部は、前記受信部が受信した前記信号に基づいて、前記モータ部の駆動および停止を制御する
請求項５に記載の電線用除雪装置。
【請求項７】
前記本体部に設けられ、前記モータ部に電力を供給する二次電池と、
前記本体部の側面に設けられ、太陽光によって起電力を生じさせ前記二次電池を充電する太陽電池部と、
を有する
請求項１〜６のいずれか１項に記載の電線用除雪装置。
【請求項８】
前記本体部、前記除雪歯、および前記ガイドローラ部は、前記電線の軸方向に沿って分割される
請求項１〜７のいずれか１項に記載の電線用除雪装置。
【請求項９】
複数の素線が螺旋状に撚り合わせられた電線をガイドローラ部の内部に設けられた挿通孔に挿通させ、前記電線を囲むように回転可能に前記ガイドローラ部を取り付けるガイドローラ部取り付け工程と、
前記電線の外側に本体部を取り付ける工程と、
前記本体部にモータ部を取り付ける工程と、
前記モータ部に当該モータ部が駆動することによって回転する歯車を取り付け、前記ガイドローラ部と噛合させる工程と、
前記本体部の前記電線の軸方向の少なくとも一方の端部に、前記電線上の雪を落とす除雪歯を取り付ける工程と、
を有し、
前記ガイドローラ部取り付け工程では、
前記ガイドローラ部の前記挿通孔を、前記複数の素線が撚り合わせられることによって形成された撚り溝に螺合させる
電線用除雪装置の製造方法。
【請求項１０】
複数の素線が螺旋状に撚り合わせられた電線の外側に設けられる本体部と、前記本体部の前記電線の軸方向の少なくとも一方の端部に設けられ、前記電線上の雪を落とす除雪歯と、前記本体部に設けられるモータ部と、前記モータ部に設けられ、前記モータ部が駆動することによって回転する歯車と、前記本体部内で前記歯車と噛合し、内部に前記電線が挿通する挿通孔が設けられ、前記電線を囲むように回転可能に設けられるガイドローラ部と、を有し、前記ガイドローラ部の前記挿通孔が、前記複数の素線が撚り合わせられることによって形成された撚り溝に螺合するように設けられる電線用除雪装置を用い、
前記モータ部を駆動させて前記歯車を回転させることによって、前記挿通孔内の傾斜面を前記複数の素線の外周面に当接させながら、前記ガイドローラ部を回転させ、
前記除雪歯を、前記本体部とともに前記電線の周方向に回転させながら前記電線の軸方向に進行させる
電線除雪方法。
【発明の詳細な説明】
【技術分野】
【０００１】
本発明は、電線用除雪装置、電線用除雪装置の製造方法および電線除雪方法に関する。
【背景技術】
【０００２】
架空送電線に雪が付着した場合、様々な弊害が生じる可能性があるため、電線に付着した雪を早期に落下させることが望まれる。そこで、例えば、電線の周囲に巻回されたスパイラルロッドを電線の軸方向に移動させることにより、電線に付着した雪を落下させる電線用除雪装置が開発されている（例えば特許文献１）。
【先行技術文献】
【特許文献】
【０００３】
【特許文献１】特開平５−２０７６３１号公報
【発明の概要】
【発明が解決しようとする課題】
【０００４】
しかしながら、特許文献１に記載の電線用除雪装置では、長尺のスパイラルロッドを電線の軸方向に移動させるために大きな駆動力が必要となる。このため、スパイラルロッドを引っ張る引張機構が大型化、重量化、且つ複雑化してしまう可能性がある。
【０００５】
本発明の目的は、電線に付着した雪を容易に落下させることができる電線用除雪装置、電線用除雪装置の製造方法および電線除雪方法を提供することである。
【課題を解決するための手段】
【０００６】
本発明の一態様によれば、
複数の素線が螺旋状に撚り合わせられた電線の外側に設けられる本体部と、
前記本体部の前記電線の軸方向の少なくとも一方の端部に設けられ、前記電線上の雪を落とす除雪歯と、
前記本体部に設けられるモータ部と、
前記モータ部に設けられ、前記モータ部が駆動することによって回転する歯車と、
前記本体部内で前記歯車と噛合し、内部に前記電線が挿通する挿通孔が設けられ、前記電線を囲むように回転可能に設けられるガイドローラ部と、
を有し、
前記ガイドローラ部の前記挿通孔は、前記複数の素線が撚り合わせられることによって形成された撚り溝に螺合するように設けられる
電線用除雪装置が提供される。
【０００７】
本発明の他の態様によれば、
複数の素線が螺旋状に撚り合わせられた電線をガイドローラ部の内部に設けられた挿通孔に挿通させ、前記電線を囲むように回転可能に前記ガイドローラ部を取り付けるガイドローラ部取り付け工程と、
前記電線の外側に本体部を取り付ける工程と、
前記本体部にモータ部を取り付ける工程と、
前記モータ部に当該モータ部が駆動することによって回転する歯車を取り付け、前記ガイドローラ部と噛合させる工程と、
前記本体部の前記電線の軸方向の少なくとも一方の端部に、前記電線上の雪を落とす除雪歯を取り付ける工程と、
を有し、
前記ガイドローラ部取り付け工程では、
前記ガイドローラ部の前記挿通孔を、前記複数の素線が撚り合わせられることによって形成された撚り溝に螺合させる
電線用除雪装置の製造方法が提供される。
【０００８】
本発明の更に他の態様によれば、
複数の素線が螺旋状に撚り合わせられた電線の外側に設けられる本体部と、前記本体部の前記電線の軸方向の少なくとも一方の端部に設けられ、前記電線上の雪を落とす除雪歯と、前記本体部に設けられるモータ部と、前記モータ部に設けられ、前記モータ部が駆動することによって回転する歯車と、前記本体部内で前記歯車と噛合し、内部に前記電線が挿通する挿通孔が設けられ、前記電線を囲むように回転可能に設けられるガイドローラ部と、を有し、前記ガイドローラ部の前記挿通孔が、前記複数の素線が撚り合わせられることによって形成された撚り溝に螺合するように設けられる電線用除雪装置を用い、
前記モータ部を駆動させて前記歯車を回転させることによって、前記挿通孔内の傾斜面を前記複数の素線の前記外周面に当接させながら、前記ガイドローラ部を回転させ、
前記除雪歯を、前記本体部とともに前記電線の周方向に回転させながら前記電線の軸方向に進行させる
電線除雪方法が提供される。
【発明の効果】
【０００９】
本発明によれば、電線に付着した雪を容易に落下させることができる電線用除雪装置、電線用除雪装置の製造方法および電線除雪方法が提供される。
【図面の簡単な説明】
【００１０】
【図１】本発明の一実施形態に係る電線用除雪装置を示す斜視図である。
【図２】本発明の一実施形態に係る電線用除雪装置を示す一部が透過した斜視図である。
【図３】（ａ）は、本発明の一実施形態に係る電線用除雪装置の電線の軸方向と直交する断面図であり、（ｂ）は、電線用除雪装置の電線の軸方向に沿った断面図である。
【図４】（ａ）は、電線の軸方向と直交する断面図であり、（ｂ）は、ガイドローラ部の正面図であり、（ｃ）は、ガイドローラ部の電線の軸方向に沿った断面図である。
【図５】本発明の一実施形態に係る電線用除雪装置を示すブロック図である。
【図６】電線用除雪装置を実施例の電線の軸方向に走行させたときの着雪重量を示す図である。
【発明を実施するための形態】
【００１１】
＜本発明の一実施形態＞
（１）電線用除雪装置の構造
本発明の一実施形態に係る電線用除雪装置１０について、図１〜図５を用いて説明する。図１は、本実施形態に係る電線用除雪装置を示す斜視図である。図２は、本実施形態に係る電線用除雪装置を示す一部が透過した斜視図である。図３（ａ）は、本発明の一実施形態に係る電線用除雪装置の電線の軸方向と直交する断面図であり、図３（ｂ）は、電線用除雪装置の電線の軸方向に沿った断面図である。なお、図３（ｂ）において、ガイドローラ部３４０に隣接する除雪歯２２０、およびモータ部３００については、電線１００の軸方向に垂直な方向から見た側面を示している。図４（ａ）は、電線の軸方向と直交する断面図であり、図４（ｂ）は、ガイドローラ部の正面図であり、図４（ｃ）は、ガイドローラ部の電線の軸方向に沿った断面図である。図５は、本実施形態に係る電線用除雪装置を示すブロック図である。
【００１２】
本実施形態の電線用除雪装置１０は、電線１００の撚り溝１１２を電線用除雪装置１０の走行上のレールとすることにより、除雪歯２２０が本体部２００とともに電線１００の周方向に回転しながら電線１００の軸方向に進行する（自走する）よう構成される。以下、詳細を説明する。
【００１３】
なお、本実施形態において電線用除雪装置１０が取り付けられる「電線１００」とは、例えば、架空送電線として鉄塔間に架線される鋼心アルミ撚り線（ＡＣＳＲ）、硬銅撚り線である。
【００１４】
（本体部）
図１に示されているように、複数の素線１１０が螺旋状に撚り合わせられた電線１００の外側には、電線１００を囲むように電線用除雪装置１０の本体部２００が設けられる。電線１００の軸方向から見て、本体部２００の形状は、略三角形である。
【００１５】
本体部２００の内部には、電線１００が挿通する挿通孔（符号不図示）が設けられる。本体部２００の挿通孔は、例えば電線１００を囲むように円筒状に設けられる。
【００１６】
また、本体部２００は、電線１００の軸方向に沿って分割されている。分割された本体部２００は、電線１００を挟むようにして互いに結合され、ボルト（不図示）によって固定される。
【００１７】
（除雪歯）
図１および図２に示されているように、本体部２００の電線１００の軸方向の少なくとも一方の端部には、電線１００上の雪を落とす除雪歯２２０が設けられる。除雪歯２２０は、本体部２００に対して固定される。
【００１８】
本実施形態では、除雪歯２２０は、例えば、本体部２００電線１００の軸方向の両方の端部にそれぞれ設けられる。これにより、電線用除雪装置１０を電線１００の軸方向に移動させる往路だけでなく復路でも除雪をすることができる。
【００１９】
除雪歯２２０は、電線１００の軸方向に対して傾斜して設けられ当該除雪歯２２０の回転に沿うように渦巻状に設けられた側面２２２を有する。除雪歯２２０が電線１００の周方向に回転しながら電線１００の軸方向に進行することにより、電線１００上の雪が除雪歯２２０の側面２２２に沿って分散しながら落とされる。
【００２０】
除雪歯２２０の内部には、電線１００が挿通する挿通孔（符号不図示）が設けられる。除雪歯２２０の挿通孔は、例えば電線１００を囲むように円筒状に設けられる。
【００２１】
また、除雪歯２２０は、本体部２００とともに、電線１００の軸方向に沿って分割される。分割された除雪歯２２０は、電線１００を挟むようにして互いに結合され、ボルトによって固定される。
【００２２】
また、除雪歯２２０は、電線１００上の氷雪を掻き分けられるように金属により構成される。具体的には、除雪歯２２０は、例えば、アルミニウム等からなる。
【００２３】
（モータ部）
図１、図２および図３（ｂ）に示されているように、本体部２００には、モータ部３００が設けられる。モータ部３００には、モータ部３００が駆動することによって回転する歯車３２０が設けられる。
【００２４】
（ガイドローラ部）
図２、図３（ａ）および図３（ｂ）に示されているように、本体部２００内には、ガイドローラ部３４０が、歯車３２０と噛合して設けられる。ガイドローラ部３４０は、電線用除雪装置１０のいずれの部材にも固定されておらず、電線１００を囲むように回転可能に設けられる。また、ガイドローラ部３４０の電線１００の軸方向の両側のそれぞれの側面は、本体部２００内の内壁に当接可能に構成される。
【００２５】
なお、ガイドローラ部３４０は、電線１００の軸方向に沿って分割される。分割されたガイドローラ部３４０は、電線１００を挟むようにして互いに結合される。
【００２６】
ここで、図４（ａ）に示されているように、電線１００の外周には、複数の素線１１０が撚り合わせられることによって撚り溝１１２が形成されている。撚り溝１１２は、電線１００の軸方向に沿って螺旋状に形成されている。
【００２７】
図４（ｂ）に示されているように、ガイドローラ部３４０の内部には、電線１００が挿通する挿通孔３４２が設けられる。ガイドローラ部３４０の挿通孔３４２は、上記した電線１００の撚り溝１１２に螺合するように設けられる。挿通孔３４２内には、電線１００の外形に沿うように傾斜面３４４が設けられる。
【００２８】
ガイドローラ部３４０は、歯車３２０の回転をガイドローラ部３４０の挿通孔３４２内の電線１００に対して伝達するスプロケットとして機能する。モータ部３００が駆動し歯車３２０が回転することによって、ガイドローラ部３４０は、挿通孔３４２内の傾斜面３４４を複数の素線１１０の外周面に当接させながら回転する。電線１００の撚り溝１１２を電線用除雪装置１０の走行上のレールとすることにより、除雪歯２２０は、本体部２００とともに電線１００の周方向に回転しながら電線１００の軸方向に進行する。例えば、除雪歯２２０は、本体部２００とともにガイドローラ部３４０と逆方向に回転する。この電線用除雪装置１０の動作については、詳細を後述する。
【００２９】
なお、ガイドローラ部３４０の挿通孔３４２が電線１００の撚り溝１１２に螺合するように設けられるのに対して、本体部２００および除雪歯２２０のそれぞれの挿通孔は、上述のように円筒状に設けられており、電線１００の撚り溝１１２に螺合していない。これにより、ガイドローラ部３４０が回転したときに、本体部２００および除雪歯２２０はガイドローラ部３４０と逆方向に回転可能となる。
【００３０】
（二次電池および太陽電池）
図２、図３（ｂ）および図５に示されているように、本体部２００には、例えば二次電池４２０が設けられる。二次電池４２０は、モータ部３００と、後述する制御部５００と、後述する受信部６００と、に接続され、それぞれに電力を供給するよう構成される。
【００３１】
図１および図５に示されているように、本体部２００の側面には、例えば太陽電池部４４０が設けられる。太陽電池部４４０は、二次電池４２０に接続され、太陽光によって起電力を生じさせ二次電池を充電するよう構成される。
【００３２】
（制御部）
図３（ａ）および図５に示されているように、本体部２００には、制御部５００が設けられる。制御部５００は、モータ部３００に接続され、モータ部３００の駆動および停止を制御するよう構成される。
【００３３】
また、本体部２００には、外部からの信号を受信する受信部６００が設けられる。受信部６００は、制御部５００に接続される。制御部５００は、受信部６００が受信した信号（駆動信号および停止信号）に基づいて、遠隔操作によりモータ部３００の駆動および停止を制御する。なお、制御部５００は、受信部６００が受信した信号に基づいて、モータ部３００の回転方向および回転速度を制御しても良い。
【００３４】
また、制御部５００は、二次電池４２０に接続され、太陽電池部４４０から二次電池４２０への充電を制御するよう構成される。また、制御部５００は、過充電保護回路を有する。過充電保護回路により、二次電池４２０の過充電が抑制される。
【００３５】
なお、図３（ａ）に示されているように、上述のように、電線１００の軸方向から見て、本体部２００の形状は、略三角形である。電線１００を中心として、略三角形の本体部２００の角部側の空いたスペースに、上記したモータ部３００、二次電池４２０および制御部５００のそれぞれが均等に配置される。これにより、電線用除雪装置１０の重心が偏ることを抑制することができる。したがって、除雪歯２２０を本体部２００とともに電線１００の周方向に安定的に回転させることができる。
【００３６】
（２）電線用除雪装置の製造方法（組み立て方法）
次に、上記した電線用除雪装置１０の製造方法（組み立て方法）について説明する。
【００３７】
まず、電線用除雪装置１０の本体部２００、除雪歯２２０、モータ部３００、ガイドローラ部３４０、二次電池４２０、制御部５００等の各部材を準備する。
【００３８】
図３（ａ）および図３（ｂ）に示されているように、分割されたガイドローラ部３４０を、電線１００を挟むようにして互いに結合する。これにより、ガイドローラ部３４０の内部に設けられた挿通孔３４２に電線１００を挿通させる。このとき、ガイドローラ部３４０の挿通孔３４２を、電線１００の撚り溝１１２に螺合させる。このようにして、電線１００を囲むように回転可能にガイドローラ部３４０を取り付ける。
【００３９】
次に、本体部２００内にガイドローラ部３４０を配置するように、分割された本体部２００を、電線１００を挟むようにして互いに結合し、ボルトによって固定する。これにより、電線１００の外側に本体部２００を取り付ける。
【００４０】
次に、本体部２００に、ボルト（不図示）によってモータ部３００を取り付ける。また、モータ部３００に歯車３２０を取り付け、ガイドローラ部３４０と噛合させる。
【００４１】
次に、本体部２００に、制御部５００を取り付け、モータ部３００に接続する。また、本体部２００に、受信部６００を取り付け、制御部５００に接続する。
【００４２】
また、本体部２００に、二次電池４２０を取り付け、モータ部３００、制御部５００および受信部６００に接続する。さらに、本体部２００の側面に、太陽電池部４４０を取り付け、二次電池４２０に接続する。
【００４３】
次に、図１に示されているように、モータ部３００等を覆うように、本体部２００のカバー部（符号不図示）を取り付ける。
【００４４】
次に、分割された除雪歯２２０を、電線１００を挟むようにして互いに結合し、ボルトによって固定する。これにより、本体部２００の電線１００の軸方向の両端に、除雪歯２２０を取り付ける。
【００４５】
以上により、本実施形態に係る電線用除雪装置１０が製造される（組み立てられる）。
【００４６】
例えば、電線用除雪装置１０は、２つの鉄塔間に設置される。降雪時期以外の期間など、電線用除雪装置１０を使用しないときは、電線用除雪装置１０は電線１００上に保持される。
【００４７】
（３）電線除雪方法
次に、上記した電線用除雪装置１０を用いた電線除雪方法について説明する。
【００４８】
まず、外部からモータ部３００を駆動する駆動信号を電線用除雪装置１０に送信する。受信部６００が外部からの駆動信号を受信したとき、制御部５００は、受信部６００が受信した駆動信号に基づいて、モータ部３００を駆動する。
【００４９】
モータ部３００が駆動し歯車３２０が回転することによって、ガイドローラ部３４０は、挿通孔３４２内の傾斜面３４４を複数の素線１１０の外周面に当接させながら回転する。
【００５０】
このとき、挿通孔３４２内の傾斜面３４４は、複数の素線１１０の撚り方向に沿ってスライドする。ガイドローラ部３４０の電線１００の軸方向の側面は、本体部２００の内壁に当接し、本体部２００を電線１００の軸方向に押出す。一方で、モータ部３００が歯車３２０を介してガイドローラ部３４０を回転させる反作用として、本体部２００は、ガイドローラ部３４０の回転方向と逆方向に回転する。
【００５１】
これにより、図１に示されているように、電線１００の撚り溝１１２を電線用除雪装置１０の走行上のレールとすることにより、除雪歯２２０は、本体部２００とともに、例えばガイドローラ部３４０と逆方向に回転しながら、電線１００の軸方向に進行する。除雪歯２２０が電線１００の周方向に回転しながら電線１００の軸方向に進行することによって、除雪歯２２０の側面２２２は、電線１００上の雪を掻き分け、電線１００から雪を落としていく。これにより、電線１００の全周にわたって雪が除去される。
【００５２】
２つの鉄塔間の電線１００の除雪が終了したとき、外部からモータ部３００を停止する停止信号を電線用除雪装置１０に送信する。受信部６００が外部からの停止信号を受信したとき、制御部５００は、受信部６００が受信した停止信号に基づいて、モータ部３００を停止する。
【００５３】
以上により、本実施形態に係る電線用除雪装置１０による除雪が終了する。
【００５４】
（４）本実施形態に係る効果
本実施形態やその変形例によれば、以下に示す１つ又は複数の効果を奏する。
【００５５】
（ａ）本実施形態によれば、電線用除雪装置１０の本体部２００内では、ガイドローラ部３４０が、モータ部３００に設けられた歯車３２０と噛合する。ガイドローラ部３４０の挿通孔３４２は、電線１００の撚り溝１１２に螺合するように設けられる。
【００５６】
モータ部３００が駆動し歯車３２０が回転することによって、ガイドローラ部３４０は、挿通孔３４２内の傾斜面３４４を複数の素線１１０の外周面に当接させながら回転する。電線１００の撚り溝１１２を電線用除雪装置１０の走行上のレールとすることにより、除雪歯２２０は、本体部２００とともに電線１００の周方向に回転しながら電線１００の軸方向に進行する。これにより、除雪歯２２０によって電線１００に付着した雪は除去されていく。
【００５７】
このようにして、電線１００に付着した雪を容易に落下させることができる。したがって、電線用除雪装置１０を小型化、軽量化、且つ単純化させることができる。
【００５８】
（ｂ）本実施形態によれば、上記のような電線用除雪装置１０を用いることにより、電線１００に付着した雪の重量が増加する前に、電線１００から雪を除去することができ、雪の重量による断線や鉄塔の倒壊を抑制することができる。
【００５９】
また、電線１００へ氷雪が付着することを未然に抑制することにより、氷雪が付着した電線１００に風が吹きつけられたときに起きる異常振動である、いわゆるギャロッピング振動を抑制し、ギャロッピング振動を起因として隣接した電線１００が相互に接触し短絡することを抑制することができる。
【００６０】
また、電線用除雪装置１０によって電線１００に積った雪は細かく分散され、雪が落下するときは、地上へは降雪のような小さな雪の欠片が舞い降りることとなる。したがって、凍った雪の塊が落下することを抑制し、電線１００の下の人や物に危害を与えることを抑制することができる。
【００６１】
（ｃ）本実施形態によれば、電線用除雪装置１０を小型化、軽量化することにより、電線用除雪装置１０を取り付ける電線１０への負担を軽減することができる。電線用除雪装置１０を電線１００の付属品と同等の設備範囲内に納めることができる。したがって、降雪時期以外の期間など、電線用除雪装置１０を使用しないときは、電線用除雪装置１０を電線１００上に保持しておくことができる。
【００６２】
（ｄ）本実施形態によれば、電線用除雪装置１０の駆動系が単純なモータ部３００のみによって構成される。これにより、電線用除雪装置１０を容易に保守管理することができる。
【００６３】
（ｅ）本実施形態によれば、電線１００が１本につき、電線用除雪装置１０を単独で装着することができる。単一の電線１００が１相を構成する単導体に対して電線用除雪装置１０を適用する場合だけでなく、複数の電線１００が１相を構成する複導体に電線用除雪装置１０を適用することもできる。
【００６４】
（ｆ）本実施形態によれば、本体部２００に設けられた制御部５００は、受信部６００が受信した信号に基づいて、モータ部３００の駆動および停止を制御する。このように遠隔操作により電線用除雪装置１０を制御することができる。
【００６５】
（ｇ）本実施形態によれば、電線用除雪装置１０は、本体部２００に設けられモータ部３００に電力を供給する二次電池４２０と、本体部２００の側面に設けられ太陽光によって起電力を生じさせ二次電池４２０を充電する太陽電池部４４０と、を有する。これにより、電線用除雪装置１０内だけで、モータ部３００を駆動させるために必要な電力を生成することができる。したがって、電線用除雪装置１０を電線１００に設置した後に、電池交換などのために電線用除雪装置１０を電線１００から取り外す必要がなく、電線用除雪装置１０を電線１００に保持させたままにすることができる。
【００６６】
（ｈ）本実施形態によれば、本体部２００、除雪歯２２０、およびガイドローラ部３４０は、電線１００の軸方向に沿って分割される。分割された本体部２００、除雪歯２２０、およびガイドローラ部３４０のそれぞれは、電線１００を挟むようにして互いに結合される。これにより、これにより、電線用除雪装置１０を既存の電線１００に容易に後付けすることができる。
【００６７】
＜本発明の他の実施形態＞
以上、本発明の実施形態について具体的に説明したが、本発明は上述の実施形態に限定されるものではなく、その要旨を逸脱しない範囲で種々変更可能である。
【００６８】
上述の実施形態では、ガイドローラ部３４０が、モータ部３００の歯車３２０と直接噛合する場合について説明したが、ガイドローラ部は、遊び歯車を介してモータ部の歯車に噛合していてもよい。この場合、除雪歯は、本体部とともにガイドローラ部と同じ方向に回転しながら電線の軸方向に進行するよう構成されていてもよい。
【００６９】
また、上述の実施形態では、除雪歯２２０が本体部２００の電線１００の軸方向の両方の端部にそれぞれ設けられる場合について説明したが、除雪歯は本体部の電線の軸方向の一方の端部だけに設けられていても良い。
【００７０】
また、上述の実施形態では、除雪歯２２０によって機械的に雪を除去する場合について説明したが、除雪歯にヒータが取り付けられていても良く、除雪歯のヒータの熱により雪を溶かしながら雪を除去してもよい。
【００７１】
また、上述の実施形態では、制御部５００は、受信部６００が受信した信号に基づいて、モータ部３００の駆動および停止を制御する場合について説明したが、電線用除雪装置は降雪センサを有していても良く、制御部は降雪センサが降雪を検知したときにモータ部を駆動するよう制御しても良い。また、電線用除雪装置は鉄塔間の位置を検出する位置センサを有していても良く、制御部は外部からの信号に依存せずに２つの鉄塔間を自動で往復移動するように制御しても良い。さらに、電線用除雪装置は、外部（例えば通信網）に信号を送信する送信部を有していても良く、送信部は、位置センサによる位置情報信号を外部に送信したり、電線用除雪装置の機構に不具合が生じた場合にアラーム信号を外部に送信したりするよう構成されていてもよい。
【実施例】
【００７２】
（１）電線用除雪装置の製造と評価
上述の実施形態に係る電線用除雪装置を製造し、実施例の電線に取り付けた。自然降雪により、所定量の雪が電線上に降り積もった状態から、電線用除雪装置を電線の軸方向に走行させた。このとき、電線用除雪装置を実施例の電線の軸方向に走行させたときの実施例の電線の着雪重量を測定し、電線用除雪装置を取り付けていない比較例の電線の着雪重量と比較した。
【００７３】
（２）結果
図６は、電線用除雪装置を実施例の電線の軸方向に走行させたときの着雪重量を示す図である。図６に示されているように、電線用除雪装置を実施例の電線の軸方向に走行させることにより、実施例の電線の着雪重量は比較例の電線の着雪重量に比較して減少していった。このように、上述の実施形態に係る電線用除雪装置を電線に取り付けたことにより、電線に付着した雪を容易に落下させることができた。
【符号の説明】
【００７４】
１０  電線用除雪装置
１００  電線
１１０  素線
１１２  撚り溝
２００  本体部
２２０  除雪歯
２２２  側面
３００  モータ部
３２０  歯車
３４０  ガイドローラ部
３４２  挿通孔
３４４  傾斜面
４２０  二次電池
４４０  太陽電池部
５００  制御部
６００  受信部
【図１】
0006399295.tif 000002
【図２】
0006399295.tif 000003
【図３】
0006399295.tif 000004
【図４】
0006399295.tif 000005
【図５】
0006399295.tif 000006
【図６】
0006399295.tif 000007